(57)【要約】【課題】ディジタル回路のみでポップノイズの発生を防止でき、そのためのアナログ回路や外部へのミュート制御信号を必要としない、音声信号出力回路を提供すること。【解決手段】基準電圧ＶＲＥＦに交流成分電圧が重畳されているディジタル形式の入力音声信号をパルス密度変調した音声信号と、零電圧と基準電圧との間で滑らかに変化する遷移信号とを、切り替えてスピーカに供給する。これにより、電源投入時や電源断時のポップノイズの発生を防止する。【選択図】      図１
2006109275.tif 000002
【特許請求の範囲】
【請求項１】
基準電圧に交流成分電圧が重畳されているディジタル形式の入力音声信号が入力され、ミュート信号に応じてその交流成分電圧の増幅率を所定値から零に向けてあるいは零から所定値に向けて変化させるように音量設定された音声信号を出力する音量設定回路と、
該音量設定回路からの音量設定された音声信号をパルス密度変調する変調器と、
前記ミュート信号と関連したリセット信号に応じて、基準電圧から零電圧に向けてあるいは零電圧から基準電圧に向けて変化するようにパルス密度変調形式の遷移信号を生成する遷移信号生成回路と、
前記変調器からの音声信号と前記遷移信号生成回路からの遷移信号のどちらかを切替信号にしたがって選択し、電気−音響変換装置へ出力するスイッチ回路と、
前記ミュート信号、前記リセット信号、前記切替信号を含む制御信号を発生する制御回路を有し、
音声再生状態から電源断状態もしくはミュート状態へ変更する場合には、前記スイッチ回路を前記変調器の音声信号から前記遷移信号生成回路の遷移信号への切り替えに先行して、前記変調器の音声信号を基準電圧にし、基準電圧にある前記遷移信号に切り替えた後に、前記遷移信号を基準電圧から零電圧に向けて変化させ、
また、電源断状態もしくはミュート状態から音声再生状態へ変更する場合には、前記スイッチ回路を前記遷移信号生成回路の遷移信号から前記変調器の音声信号への切り替えに先行して、前記遷移信号を零電圧から前記基準電圧に変化させた後に、基準電圧にある前記変調器の音声信号に切り替えることを特徴とする、音声信号出力回路。
【請求項２】
前記変調器は、パルス密度変調された第１音声信号及び第２音声信号を出力するとともに、
前記スイッチ回路は、前記第１音声信号と前記遷移信号生成回路からの遷移信号のどちらかを前記切替信号にしたがって選択し、第１電気−音響変換器へ出力する第１スイッチと、
前記第２音声信号と前記遷移信号生成回路からの遷移信号のどちらかを前記切替信号にしたがって選択し、第２電気−音響変換器へ出力する第２スイッチとを有することを特徴とする、請求項１に記載の音声信号出力回路。
【請求項３】
前記スイッチ回路は、前記変調器からの音声信号と前記遷移信号生成回路からの遷移信号のどちらかを前記切替信号にしたがって選択し、電気−音響変換器の一端へ出力する第１スイッチと、
前記音声信号を反転した反転音声信号と前記遷移信号生成回路からの遷移信号のどちらかを前記切替信号にしたがって選択し、前記第１電気−音響変換器の他端へ出力する第２スイッチと、を有することを特徴とする、請求項１に記載の音声信号出力回路。
【請求項４】
前記変調器は、パルス密度変調された第１音声信号及び第２音声信号を出力するとともに、
前記スイッチ回路は、前記第１音声信号と前記遷移信号生成回路からの遷移信号のどちらかを前記切替信号にしたがって選択し、第１電気−音響変換器の一端へ出力する第１スイッチと、
前記第１音声信号を反転した第３音声信号と前記遷移信号生成回路からの遷移信号のどちらかを前記切替信号にしたがって選択し、前記第１電気−音響変換器の他端へ出力する第３スイッチと、
前記第２音声信号と前記遷移信号生成回路からの遷移信号のどちらかを前記切替信号にしたがって選択し、第２電気−音響変換器の一端へ出力する第２スイッチと、
前記第２音声信号を反転した第４音声信号と前記遷移信号生成回路からの遷移信号のどちらかを前記切替信号にしたがって選択し、前記第２電気−音響変換器の他端へ出力する第４スイッチと、を有することを特徴とする、請求項１に記載の音声信号出力回路。
【請求項５】
前記変調器は、パルス密度変調された第１音声信号及び第２音声信号を出力するとともに、
前記スイッチ回路は、前記第１音声信号と前記遷移信号生成回路からの遷移信号のどちらかを前記切替信号にしたがって選択し、第１電気−音響変換器の一端へ出力する第１スイッチと、
前記第２音声信号と前記遷移信号生成回路からの遷移信号のどちらかを前記切替信号にしたがって選択し、前記第１電気−音響変換器と直列に接続された第２電気−音響変換器の一端へ出力する第２スイッチとを有し、
前記第１電気−音響変換器の他端と前記第２電気−音響変換器の他端との直列接続点に前記遷移信号生成回路からの遷移信号を供給することを特徴とする、請求項１に記載の音声信号出力回路。
【請求項６】
前記遷移信号生成回路は、基準電圧から零電圧に向けてあるいは零電圧から基準電圧に向けて変化する波形をディジタル信号形式で生成する遷移波形生成回路と、該遷移波形生成回路からのディジタル信号をパルス密度変調形式の遷移信号に変換する遷移信号用変調器を有していることを特徴とする、請求項１乃至５のいずれかに記載の音声信号出力回路。
【請求項７】
前記遷移信号生成回路は、基準電圧から零電圧に向けてあるいは零電圧から基準電圧に向けて変化する波形を記憶するメモリ装置を有し、該メモリ装置から記憶された波形がパルス密度変調形式の遷移信号として出力されることを特徴とする、請求項１乃至５のいずれかに記載の音声信号出力回路。
【請求項８】
請求項１乃至７のいずれかに記載の音声信号出力回路と、該音声信号出力回路の出力端にローパスフィルタを介してあるいは直接に接続される、第１及びもしくは第２電気−音響変換器を含む電気−音響変換装置とを備えることを特徴とする、電子機器。
【請求項９】
音声信号出力回路と、該音声信号出力回路の出力端にローパスフィルタを介してあるいは直接に接続される、第１及びもしくは第２電気−音響変換器を含む電気−音響変換装置とを備え、
前記音声信号出力回路は、音声再生状態から電源断状態に移るに際して、
ミュートへの設定に応じて、基準電圧に交流成分電圧が重畳されているディジタル形式の入力音声信号のうちのその交流成分電圧の増幅率を所定値から零に向けて低減するミュート処理を行うステップと、
前記ミュート処理が終了し、前記交流成分電圧が零電圧になったことを判定すると、システムリセットして、出力する信号を音声信号から前記直流電圧レベルにある遷移信号に切り替えるステップと、
前記遷移信号を前記直流電圧レベルから零電圧に向けて低減する第１遷移信号生成処理を行うステップと、
前記第１遷移信号生成処理が終了し、前記遷移信号が零電圧になったことを判定すると、電源断処理を行うステップと、
を順次に行って、ポップノイズの発生を抑制しつつ電源断状態に移行することを特徴とする、電子機器。
【請求項１０】
音声信号出力回路と、該音声信号出力回路の出力端にローパスフィルタを介してあるいは直接に接続される、第１及びもしくは第２電気−音響変換器を含む電気−音響変換装置とを備え、
前記音声信号出力回路は、電源断状態から音声再生状態に移るに際して、
電源断状態において電源を投入し、零電圧にある遷移信号を出力開始するステップと、
この時点で電源断可能状態においてシステムリセットを解除するステップと、
零電圧にある遷移信号を、零電圧から基準電圧レベルに向けて増加する第２遷移信号生成処理を行うステップと、
前記第２遷移信号生成処理が終了し、前記遷移信号が前記直流電圧レベルになったことを判定すると、出力する信号を、前記直流電圧レベルにある遷移信号から、ミュート状態にある音声信号に切り替えるステップと、
出力信号を音声信号に切り替えた後、ミュート解除に設定し、前記基準電圧に交流成分電圧が重畳されているディジタル形式の入力音声信号のうちのその交流成分電圧の増幅率を零から所定値に向けて増加するミュート解除処理を行うステップと、
を順次に行って、ポップノイズの発生を抑制しつつ音声再生状態に移行することを特徴とする、電子機器。
【発明の詳細な説明】
【技術分野】
【０００１】
本発明は、起動時および停止時に発生するポップノイズ（ポップ音）を抑制する音声信号出力回路、及びその音声信号出力回路を用いて音声出力を発生する電子機器に関する。
【背景技術】
【０００２】
従来から、音声出力アンプの起動時や停止時にポップノイズが発生することを防止する音声信号出力回路が種々提案されている。
【０００３】
特許文献１では、駆動アンプとカップリングコンデンサと切り替えスイッチとを備えて、その切り替えスイッチの切替により、カップリングコンデンサの接続先を、ミュート信号に応じてスピーカまたはグランドに切り替える。これにより、スピーカへの信号伝達経路を遮断し、かつ、カップリングコンデンサへの急速な充電・放電を行い、ポップノイズを防止している。
【０００４】
しかし、この特許文献１のものでは、音声信号出力回路の後段にカップリングコンデンサや切り替えスイッチを必要とするから、部品点数が多くなることやスイッチ制御用のミュート信号を別途用意する必要があり、音声信号出力回路をＩＣにより構成する場合に問題となる。
【特許文献１】特開２００３−２５８５５９号公報
【発明の開示】
【発明が解決しようとする課題】
【０００５】
そこで、本発明は、ディジタル回路のみでポップノイズの発生を防止でき、そのためのアナログ回路や外部へのミュート制御信号を必要としない、音声信号出力回路を提供することを目的とする。
【０００６】
また、この音声信号出力回路と、その出力端にスピーカをローパスフィルタを介してあるいは直接に接続して音声出力を発生する電子機器を提供することを目的とする。
【課題を解決するための手段】
【０００７】
請求項１の音声信号出力回路は、基準電圧ＶＲＥＦに交流成分電圧が重畳されているディジタル形式の入力音声信号が入力され、ミュート信号ＭＵＴに応じてその交流成分電圧の増幅率を所定値から零に向けてあるいは零から所定値に向けて変化させるように音量設定された音声信号を出力する音量設定回路２０と、
該音量設定回路２０からの音量設定された音声信号をパルス密度変調する変調器（例えば、ΔΣ変調器）３０と、
前記ミュート信号ＭＵＴと関連したリセット信号ＲＥＳに応じて、基準電圧ＶＲＥＦから零電圧ＧＮＤに向けてあるいは零電圧から基準電圧に向けて変化するようにパルス密度変調形式の遷移信号ＴＲＳを生成する遷移信号生成回路４０と、
前記変調器３０からの音声信号と前記遷移信号生成回路４０からの遷移信号のどちらかを切替信号ＣＯＳにしたがって選択し、電気−音響変換装置へ出力するスイッチ回路５０と、
前記ミュート信号、前記リセット信号、前記切替信号を含む制御信号を発生する制御回路６０を有し、
音声再生状態から電源断状態もしくはミュート状態へ変更する場合には、前記スイッチ回路５０を前記変調器３０の音声信号から前記遷移信号生成回路４０の遷移信号への切り替えに先行して、前記変調器３０の音声信号を基準電圧ＶＲＥＦにし、基準電圧ＶＲＥＦにある前記遷移信号に切り替えた後に、前記遷移信号を基準電圧ＶＲＥＦから零電圧ＧＮＤに向けて変化させ、
また、電源断状態もしくはミュート状態から音声再生状態へ変更する場合には、前記スイッチ回路５０を前記遷移信号生成回路４０の遷移信号から前記変調器３０の音声信号への切り替えに先行して、前記遷移信号を零電圧ＧＮＤから前記基準電圧ＶＲＥＦに変化させた後に、基準電圧ＶＲＥＦにある前記変調器３０の音声信号に切り替えることを特徴とする。
【０００８】
請求項２の音声信号出力回路は、請求項１に記載の音声信号出力回路において、前記変調器３０は、パルス密度変調された第１音声信号及び第２音声信号を出力するとともに、
前記スイッチ回路５０は、前記第１音声信号と前記遷移信号生成回路からの遷移信号のどちらかを前記切替信号ＣＯＳにしたがって選択し、第１電気−音響変換器８１へ出力する第１スイッチ５１と、
前記第２音声信号と前記遷移信号生成回路からの遷移信号のどちらかを前記切替信号ＣＯＳにしたがって選択し、第２電気−音響変換器８２へ出力する第２スイッチ５２とを有することを特徴とする。
【０００９】
請求項３の音声信号出力回路は、請求項１に記載の音声信号出力回路において、前記スイッチ回路５０は、前記変調器３０からの音声信号と前記遷移信号生成回路４０からの遷移信号のどちらかを前記切替信号ＣＯＳにしたがって選択し、電気−音響変換器８１の一端へ出力する第１スイッチと、
前記音声信号を反転した反転音声信号と前記遷移信号生成回路からの遷移信号のどちらかを前記切替信号ＣＯＳにしたがって選択し、前記第１電気−音響変換器８１の他端へ出力する第２スイッチと、を有することを特徴とする。
【００１０】
請求項４の音声信号出力回路は、請求項１に記載の音声信号出力回路において、前記変調器３０は、パルス密度変調された第１音声信号及び第２音声信号を出力するとともに、
前記スイッチ回路５０は、前記第１音声信号と前記遷移信号生成回路４０からの遷移信号のどちらかを前記切替信号ＣＯＳにしたがって選択し、第１電気−音響変換器８１の一端へ出力する第１スイッチ５１と、
前記第１音声信号を反転した第３音声信号と前記遷移信号生成回路からの遷移信号のどちらかを前記切替信号ＣＯＳにしたがって選択し、前記第１電気−音響変換器８１の他端へ出力する第３スイッチ５３と、
前記第２音声信号と前記遷移信号生成回路からの遷移信号のどちらかを前記切替信号ＣＯＳにしたがって選択し、第２電気−音響変換器８２の一端へ出力する第２スイッチ５２と、
前記第２音声信号を反転した第４音声信号と前記遷移信号生成回路からの遷移信号のどちらかを前記切替信号ＣＯＳにしたがって選択し、前記第２電気−音響変換器８２の他端へ出力する第４スイッチ５４と、を有することを特徴とする。
【００１１】
請求項５の音声信号出力回路は、請求項１に記載の音声信号出力回路において、前記変調器３０は、パルス密度変調された第１音声信号及び第２音声信号を出力するとともに、
前記スイッチ回路５０は、前記第１音声信号と前記遷移信号生成回路からの遷移信号のどちらかを前記切替信号ＣＯＳにしたがって選択し、第１電気−音響変換器８１の一端へ出力する第１スイッチ５１と、
前記第２音声信号と前記遷移信号生成回路からの遷移信号のどちらかを前記切替信号ＣＯＳにしたがって選択し、前記第１電気−音響変換器と直列に接続された第２電気−音響変換器８２の一端へ出力する第２スイッチ５２とを有し、
前記第１電気−音響変換器８１の他端と前記第２電気−音響変換器８２の他端との直列接続点に前記遷移信号生成回路からの遷移信号を供給することを特徴とする。
【００１２】
請求項６の音声信号出力回路は、請求項１乃至５のいずれかに記載の音声信号出力回路において、前記遷移信号生成回路４０は、基準電圧ＶＲＥＦから零電圧ＧＮＤに向けてあるいは零電圧ＧＮＤから基準電圧ＶＲＥＦに向けて変化する波形をディジタル信号形式で生成する遷移波形生成回路４１と、該遷移波形生成回路４１からのディジタル信号をパルス密度変調形式の遷移信号に変換する遷移信号用変調器４２を有していることを特徴とする。
【００１３】
請求項７の音声信号出力回路は、請求項１乃至５のいずれかに記載の音声信号出力回路において、前記遷移信号生成回路４０は、基準電圧ＶＲＥＦから零電圧ＧＮＤに向けてあるいは零電圧ＧＮＤから基準電圧ＶＲＥＦに向けて変化する波形を記憶するメモリ装置４３を有し、該メモリ装置４３から記憶された波形がパルス密度変調形式の遷移信号として出力されることを特徴とする。
【００１４】
請求項８の電子機器は、請求項１乃至７のいずれかに記載の音声信号出力回路と、該音声信号出力回路の出力端にローパスフィルタを介してあるいは直接に接続される、第１及びもしくは第２電気−音響変換器を含む電気−音響変換装置とを備えることを特徴とする。
【００１５】
請求項９の電子機器は、音声信号出力回路と、該音声信号出力回路の出力端にローパスフィルタを介してあるいは直接に接続される、第１及びもしくは第２電気−音響変換器を含む電気−音響変換装置とを備え、
前記音声信号出力回路は、音声再生状態から電源断状態に移るに際して、
ミュートへの設定に応じて、基準電圧に交流成分電圧が重畳されているディジタル形式の入力音声信号のうちのその交流成分電圧の増幅率を所定値から零に向けて低減するミュート処理を行うステップと、
前記ミュート処理が終了し、前記交流成分電圧が零電圧になったことを判定すると、システムリセットして、出力する信号を音声信号から前記直流電圧レベルにある遷移信号に切り替えるステップと、
前記遷移信号を前記直流電圧レベルから零電圧に向けて低減する第１遷移信号生成処理を行うステップと、
前記第１遷移信号生成処理が終了し、前記遷移信号が零電圧になったことを判定すると、電源断処理を行うステップと、
を順次に行って、ポップノイズの発生を抑制しつつ電源断状態に移行することを特徴とする。
【００１６】
請求項１０の電子機器は、音声信号出力回路と、該音声信号出力回路の出力端にローパスフィルタを介してあるいは直接に接続される、第１及びもしくは第２電気−音響変換器を含む電気−音響変換装置とを備え、
前記音声信号出力回路は、電源断状態から音声再生状態に移るに際して、
電源断状態において電源を投入し、零電圧にある遷移信号を出力開始するステップと、
この時点で電源断可能状態においてシステムリセットを解除するステップと、
零電圧にある遷移信号を、零電圧から基準電圧レベルに向けて増加する第２遷移信号生成処理を行うステップと、
前記第２遷移信号生成処理が終了し、前記遷移信号が前記直流電圧レベルになったことを判定すると、出力する信号を、前記直流電圧レベルにある遷移信号から、ミュート状態にある音声信号に切り替えるステップと、
出力信号を音声信号に切り替えた後、ミュート解除に設定し、前記基準電圧に交流成分電圧が重畳されているディジタル形式の入力音声信号のうちのその交流成分電圧の増幅率を零から所定値に向けて増加するミュート解除処理を行うステップと、
を順次に行って、ポップノイズの発生を抑制しつつ音声再生状態に移行することを特徴とする。
【発明の効果】
【００１７】
本発明によれば、音声信号出力回路に電気−音響変換器（スピーカ）をローパスフィルタを介してあるいは直接に接続して音声出力を発生すると共に、ディジタル回路のみの音声信号出力回路でポップノイズの発生を防止する。ディジタル回路のみで音声信号出力回路を実現できるから、ＩＣ（ＬＳＩ）における集積化が容易である。
【００１８】
また、ディジタル形式（例えば、１６ビット）の入力音声信号を、ミュート信号に応じてその交流成分電圧の増幅率を所定値から零に向けてあるいは零から所定値に向けて変化させるように音量設定された音声信号を出力し、その音量設定された音声信号を変調器でパルス密度変調して出力するから、ディジタル信号からアナログ信号への変換を、ＬＰＦあるいは場合によってはスピーカ自体で行うことができる。したがって、ＤＡ変換が容易である。
【００１９】
また、遷移信号生成回路は、基準電圧から零電圧に向けてあるいは零電圧から基準電圧に向けて変化する波形をディジタル信号形式（例えば、１６ビット）で生成し、そのディジタル信号をパルス密度変調形式の遷移信号に変換するから、任意波形の信号を容易に得ることができる。
【００２０】
また、遷移信号生成回路は、基準電圧から零電圧に向けてあるいは零電圧から基準電圧に向けて変化する波形をディジタル形式で記憶するメモリ装置（例えば、ＲＯＭ）を有し、その記憶された波形がパルス密度変調形式の遷移信号として出力される。したがって、読み出し速度や読み出し方向を調整することで、立ち上がり波形、立ち下がり波形など種々の波形を出力することができるし、また、波形調整が容易である。
【００２１】
また、スイッチ回路の切替時に、スピーカの両端に印加される電圧を等しくなるようにすることにより、遷移信号の遷移時間を極めて短くする（原理的には零でよい）ことができる。この場合には、遷移時間を例えば、数百ミリ秒から数ミリ秒に短縮できる。また、アナログ信号で遷移信号を形成するには、コンデンサや抵抗を用いるためにタイミングの調整が困難であるのに対し、本発明ではディジタル信号で形成するからアナログ信号では形成することが不可能な遷移時間（遷移波形）を実現できる。
【００２２】
また、本発明の電子機器における音声信号出力回路を、コンピュータを用いてソフトウエアにより実現することができる。したがって、電子機器に他の制御用途に用いられるコンピュータを、本発明の音声信号の出力処理にも共用して、電子機器全体の構成を簡易化することができる。
【発明を実施するための最良の形態】
【００２３】
以下、本発明の音声信号出力回路、および音声出力を発生する電子機器の実施例について、図を参照して説明する。なお、本発明の音声信号出力回路は、ＬＳＩに作り込まれるので、半導体装置と言い換えてもよい。
【００２４】
図１は、本発明の第１実施例に係る音声信号出力回路、およびそれを用いた電子機器の構成を示す図である。図２は、図１における動作を説明するタイミングチャートである。
【００２５】
図１において、信号源１０から、基準電圧ＶＲＥＦに音声を表す交流成分電圧が重畳されている入力音声信号が音量設定回路２０に入力される。この音声信号は、複数ビット、例えば１６ビット、のディジタル信号形式である。基準電圧ＶＲＥＦは、電源電圧ＶＤＤとグランド電圧ＧＮＤとの中間の電圧であり、好ましくは中点電圧でよい。信号源１０は、音声信号出力回路の内部に設けてもよく、また、外部に設けられることでも良い。なお、本発明において、電圧は、特に断らない限りグランドに対する電圧を表す。
【００２６】
音量設定回路２０は、任意のボリューム設定にしたがって調整された音声信号を出力する。また、この音量設定回路２０は、ミュート信号ＭＵＴに応じて、入力された入力音声信号の内の交流成分電圧の増幅率を所定値から零に向けて、あるいは零から所定値に向けて変化させるように音量設定された音声信号を出力する。
【００２７】
即ち、音声再生状態において、ミュート信号ＭＵＴにより「ミュート」が指示されると、交流成分電圧が徐々に小さくされて、音声信号は基準電圧ＶＲＥＦ（ディジタル信号）で音量設定回路２０から出力される。また、「ミュート」状態において、ミュート信号ＭＵＴにより「ミュート解除」が指示されると、交流成分電圧が徐々に大きくされて、基準電圧ＶＲＥＦに交流成分電圧が重畳された音声信号（ディジタル信号）が音量設定回路２０から出力される。
【００２８】
ΔΣ変調器３０は、音量設定回路２０からの音量設定された音声信号をΔΣ変調して、音声信号レベルがパルスの密度で表されるパルス密度変調信号に変換する。この実施例では、ステレオ信号を取り扱っており、ΔΣ変調器３０からは、左側用の第１音声信号ＤＳＬと右側用の第２音声信号ＤＳＲが出力される。
【００２９】
遷移信号生成回路４０は、ミュート信号ＭＵＴと関連したリセット信号ＲＥＳに応じて、基準電圧ＶＲＥＦから零電圧ＧＮＤに向けてあるいは零電圧ＧＮＤから基準電圧ＶＲＥＦに向けて変化するようにパルス密度変調形式の遷移信号ＴＲＳを生成する。
【００３０】
スイッチ回路５０は、第１スイッチ５１と第２スイッチ５２とを有する。第１スイッチ５１は、第１音声信号ＤＳＬと遷移信号ＴＲＳのどちらかを切替信号ＣＯＳにしたがって選択し、第１電気−音響変換器（以下、スピーカ）８１へ出力する。第２スイッチ５２は、第２音声信号ＤＳＲと遷移信号ＴＲＳのどちらかを切替信号ＣＯＳにしたがって選択し、第２スピーカ８２へ出力する。この第１、第２スイッチ５１、５２が切り替えられるときには、第１、第２音声信号ＤＳＬ、ＤＳＲと遷移信号ＴＲＳは、ともに基準電圧ＶＲＥＦになっている。
【００３１】
制御回路６０は、音声信号出力回路および電子機器の電源断状態や音声再生状態を指令する指令信号ＣＯＭＤを受けて、ミュート信号ＭＵＴ、リセット信号ＲＥＳ、切替信号ＣＯＳを含む制御信号を発生し、また、遷移信号生成回路４０から遷移信号ＴＲＳの所定電圧レベル（基準電圧ＶＲＥＦや零電圧ＧＮＤ）に達したことを示す判定信号ＤＥＳが入力される。
【００３２】
低域通過フィルタ（以下、ＬＰＦ）７１とＬＰＦ７２は、スイッチ回路５０からのパルス密度変調されている第１、第２音声信号ＤＳＬ、ＤＳＲや遷移信号ＴＲＳを平滑し、パルス密度に対応した第１、第２スピーカ信号ＳＰＬ＋、ＳＰＲ＋を生成し、第１、第２スピーカ８１、８２の一端に供給する。第１、第２スピーカ８１、８２の他端は、グランドＧＮＤに接続される。
【００３３】
第１、第２スピーカ８１、８２自体も、コイルなどを有している場合には、ＬＰＦ７１とＬＰＦ７２とともに、平滑作用を果たす。第１、第２スピーカ８１、８２自体のみで、所要の平滑作用が得られる場合には、ＬＰＦ７１とＬＰＦ７２を省略することが可能である。この場合には、スイッチ回路５０からの第１、第２音声信号ＤＳＬ、ＤＳＲや遷移信号ＴＲＳが、第１、第２スピーカ８１、８２に直接入力される。
【００３４】
以上の構成において、音量設定回路２０、ΔΣ変調器３０、遷移信号生成回路４０、スイッチ回路５０及び制御回路６０を含んで音声信号出力回路が構成され、例えば１チップのＬＳＩに作り込まれる。この音声信号出力回路に、外付け部品として第１、第２スピーカ８１、８２及びＬＰＦ７１、７２が設けられて、音声出力を発生する電子機器が構成される。
【００３５】
図３は、遷移信号生成回路４０の第１構成例を示す図であり、遷移波形生成回路４１とΔΣ変調器４２とを有している。
【００３６】
遷移波形生成回路４１はリセット信号ＲＥＳに応じて、基準電圧ＶＲＥＦから零電圧ＧＮＤへと滑らかに変化する第１遷移信号、あるいは、零電圧ＧＮＤから基準電圧ＶＲＥＦへと滑らかに変化する第２遷移信号を、複数ビット（例えば、１６ビット）のディジタル形式で発生する。また、遷移波形生成回路４１は、第１遷移信号が零電圧レベルに達したとき、あるいは第２遷移信号が基準電圧レベルに達したときに、判定信号ＤＥＳを発生する。
【００３７】
ΔΣ変調器４２は、遷移波形生成回路４１から入力される第１、第２遷移信号をΔΣ変調して、第１、第２遷移信号のレベルに対応したパルス密度の遷移信号ＴＲＳを出力する。図３では、第２遷移信号を発生する場合の例が示されている。
【００３８】
図４は、遷移信号生成回路４０Ａの第２構成例を示す図であり、遷移信号用ＲＯＭ４３を有している。ＲＯＭ４３からは、リセット信号ＲＥＳに応じて、基準電圧ＶＲＥＦから零電圧ＧＮＤへと滑らかに変化する第１遷移信号、あるいは、零電圧ＧＮＤから基準電圧ＶＲＥＦへと滑らかに変化する第２遷移信号を、第１、第２遷移信号のレベルに対応したパルス密度の遷移信号ＴＲＳを出力する。図４では、第２遷移信号を発生する場合の例が示されている。
【００３９】
遷移信号用ＲＯＭ４３には、基準電圧ＶＲＥＦに対応するパルス密度と零電圧ＧＮＤに対応するパルス密度との間で、パルス密度が滑らかに変化するデータを記憶させておく。そして、第１遷移信号を発生させるか、あるいは第２遷移信号を発生させるかに応じて、例えば遷移信号用ＲＯＭ４３に記憶されたデータの読み出し方向を、一方から他方へ、あるいは他方から一方へ、変更する。これにより、一種類の遷移信号用データにより、第１，第２遷移信号を読み出すことができる。なお、第１遷移信号用データと第２遷移信号用データとを、遷移信号用ＲＯＭ４３に個別に記憶させてもよい。
【００４０】
以上のように構成される本発明の第１実施例の動作を、図２のタイミングチャートをも参照して説明する。
【００４１】
図２において、まず、音声再生状態から電源を断にする場合、即ち停止時、について説明する。時点ｔ１以前（区間１１）では、図２（ａ）のようにミュート信号ＭＵＴは「ミュート解除」にあり、図２（ｂ）のようにリセット信号ＲＥＳは「リセット解除」にあり、図２（ｃ）のように切替信号ＣＯＳは「音声信号（ΔΣ信号）選択」にある。図２（ｄ）のように、音量設定回路２０では、基準電圧ＶＲＥＦに交流成分信号（交流成分電圧）が重畳されている。
【００４２】
この音量設定回路２０からの音声信号が、ΔΣ変調器３０、スイッチ回路５０、ＬＰＦ７１、７２を介して、第１、第２スピーカ８１、８２の一端に、第１、第２スピーカ信号ＳＰＬ＋、ＳＰＲ＋として供給される。なお、この実施例では、第１、第２スピーカ８１、８２の他端はグランドＧＮＤに接続されているから、図２（ｅ）のようにその他端の電圧ＳＰＬ−、ＳＰＲ−は常に零電圧である。
【００４３】
時点ｔ１で、電源断の指令信号ＣＯＭＤが制御回路６０に供給されると、ミュート信号ＭＵＴが「ミュート」になる。これにより、音量設定回路２０は交流成分電圧の増幅度をその時点の増幅率から滑らかに零にする。交流成分電圧が零になった後の時点ｔ２において、リセット信号ＲＥＳが「リセット」になり、切替信号ＣＯＳが「遷移信号選択」になり、スイッチ回路５０は遷移信号ＴＲＳを選択する。
【００４４】
この時点ｔ２において、遷移信号ＴＲＳは基準電圧ＶＲＥＦにあるから、スイッチ回路５０の切替はショックなしに行われる。なお、遷移信号ＴＲＳの基準電圧ＶＲＥＦとΔΣ信号の基準電圧ＶＲＥＦとの間に、誤差に基づく少しの電圧差が存在したとしても、ＬＰＦ７１、７２等により吸収されるから、ポップノイズを発生する程度には至らない。この時点ｔ２までの区間１が「ΔΣ信号選択」の期間であり、また、時点ｔ１から時点ｔ２までの区間１２が交流成分電圧を音声再生状態から零に絞る期間である。
【００４５】
遷移信号ＴＲＳは時点ｔ２の後、基準電圧ＶＲＥＦから零電圧ＧＮＤに向けて、所定の時間をかけて滑らかに減少させる。この所定の時間は、時点ｔ２〜時点ｔ３（区間２１）であり、その時間（ｔ２〜ｔ３）と遷移信号ＴＲＳの波形は、任意でよく、スピーカ８１、８２からポップノイズが発生しないように設定されていればよい。時点ｔ３で遷移信号ＴＲＳが零電圧になったことは、判定信号ＤＥＳにより制御回路６０に通知されるから、確認できる。
【００４６】
時点ｔ３以降（但し、時点ｔ４以前）は、スピーカ８１、８２には、電圧が印加されていないから、ポップノイズを発生することなく、適時に電源を遮断できる。
【００４７】
次に、電源断状態から音声再生状態にする場合、即ち起動時について説明する。電源断の状態で電源を投入すると、時点ｔ４以前の区間２２の状態にある。即ち、図２（ａ）のようにミュート信号ＭＵＴは「ミュート」にあり、図２（ｂ）のようにリセット信号ＲＥＳは「リセット」にあり、図２（ｃ）のように切替信号ＣＯＳは「遷移信号選択」にあり、第１、第２スピーカ信号ＳＰＬ＋、ＳＰＲ＋は零電圧にある。したがって、電源投入によるポップノイズは発生しない。
【００４８】
時点ｔ４で、リセット信号ＲＥＳが「リセット解除」になると、遷移信号生成回路４０は、遷移信号ＴＲＳを零電圧から基準電圧ＶＲＥＦへ向けて、所定の時間をかけて滑らかに増加させる。この所定の時間は、時点ｔ４〜時点ｔ５（区間２３）であり、その時間（ｔ４〜ｔ５）と遷移信号ＴＲＳの波形は、任意でよく、スピーカ８１、８２からポップノイズが発生しないように設定されていればよい。
【００４９】
時点ｔ５で遷移信号ＴＲＳが基準電圧ＶＲＥＦになったことは、判定信号ＤＥＳにより制御回路６０に通知される。この時点ｔ５から適時の時間（区間２４）後の時点ｔ６において、ミュート信号ＭＵＴが「ミュート解除」になり、切替信号ＣＯＳが「ΔΣ信号選択」になる。即ち、時点ｔ２〜ｔ６の区間２が「遷移信号選択」の期間となる。
【００５０】
時点ｔ６において、ΔΣ信号（第１、第２音声信号）は基準電圧ＶＲＥＦにあるから、スイッチ回路５０の切替はショックなしに行われる。そして、ミュート信号ＭＵＴが「ミュート解除」になったことにより、音量設定回路２０は交流成分電圧の増幅度を、時点ｔ６から時点ｔ７（区間１３）にかけて零から滑らかに所定レベルに増加させる。時点ｔ７以後（区間１１）は、通常の音声信号再生状態になる。なお、時点ｔ６以降が、切替信号ＣＯＳが「ΔΣ信号選択」を行っている区間１となる。
【００５１】
なお、図１でスピーカ８２を設けないこともできる。その場合には、ＬＰＦ７２、第２スイッチ５２も設ける必要がない。
【００５２】
以上のように、本発明の第１実施例では、音声再生状態から電源断へ、またはその逆の場合に、ポップノイズを発生させることなく、切り替えることができる。
【００５３】
また、ディジタル回路のみで音声信号出力回路を実現できるから、ＬＳＩにおける集積化が容易である。
【００５４】
また、ディジタル形式（例えば、１６ビット）の入力音声信号を、ミュート信号に応じてその交流成分電圧の増幅率を所定値から零に向けてあるいは零から所定値に向けて変化させるように音量設定された音声信号を出力し、その音量設定された音声信号をΔΣ変調器でパルス密度変調して出力する。これにより、ディジタル信号からアナログ信号への変換を、ＬＰＦあるいは場合によってはスピーカ自体で行うことができる。したがって、ＤＡ変換が容易である。
【００５５】
また、遷移信号生成回路４０は、基準電圧ＶＲＥＦから零電圧ＧＮＤに向けてあるいは零電圧ＧＮＤから基準電圧ＶＲＥＦに向けて変化する波形をディジタル信号形式（例えば、１６ビット）で生成し、そのディジタル信号をパルス密度変調形式の遷移信号に変換するから、任意波形の信号を容易に得ることができる。
【００５６】
また、遷移信号生成回路４０を、基準電圧ＶＲＥＦと零電圧ＧＮＤとの間で変化する波形を記憶するＲＯＭ４３を有し、その記憶された波形がパルス密度変調形式の遷移信号ＴＲＳとして出力される。したがって、読み出し速度や読み出し方向を調整することで、立ち上がり波形、立ち下がり波形など種々の波形を出力することができる。
【００５７】
図５は、本発明の第２実施例に係る音声信号出力回路、およびそれを用いた電子機器の構成を示す図である。図６は、図５における動作を説明するタイミングチャートである。
【００５８】
この第２実施例では、停止時及び起動時のシーケンスは、図１、図２の第１実施例とほぼ同様である。この第２実施例では、負荷であるスピーカを差動方式で駆動すること、及び負荷を駆動するためのΔΣ信号出力時には差動信号を供給し、負荷を停止するための遷移信号出力時には同相信号を供給することが、第１実施例と、異なっている。
【００５９】
図５において、信号源１０、音量設定回路２０、ΔΣ変調器３０、遷移信号生成回路４０、制御回路６０は図１と同じである。
【００６０】
反転信号生成回路３１は、ΔΣ変調器３０から出力される左側用の第１音声信号ＤＳＬが入力されて、その非反転信号ＤＳＬ＋と反転信号ＤＳＬ−とを出力する。反転信号生成回路３２は、ΔΣ変調器３０から出力される右側用の第２音声信号ＤＳＲが入力されて、その非反転信号ＤＳＲ＋と反転信号ＤＳＲ−とを出力する。反転信号生成回路３１、３２は、第１、第２音声信号ＤＳＬ、ＤＳＲがパルス密度変調されているから、反転回路により簡易に構成できる。
【００６１】
スイッチ回路５０Ａは、第１音声信号ＤＳＬの非反転信号ＤＳＬ＋と、遷移信号ＴＲＳのどちらかを切替信号ＣＯＳにしたがって選択し、ＬＰＦ７１を介して第１スピーカ８１の一端へ出力する第１スイッチ５１と、第１音声信号ＤＳＬの反転信号ＤＳＬ−と、遷移信号ＴＲＳのどちらかを切替信号ＣＯＳにしたがって選択し、ＬＰＦ７３を介して第１スピーカ８１の他端へ出力する第３スイッチ５３と、第２音声信号ＤＳＲの非反転信号ＤＳＲ＋と、遷移信号ＴＲＳのどちらかを切替信号ＣＯＳにしたがって選択し、ＬＰＦ７２を介して第２スピーカ８２の一端へ出力する第２スイッチ５２と、第２音声信号ＤＳＲの反転信号ＤＳＲ−と、遷移信号ＴＲＳのどちらかを切替信号ＣＯＳにしたがって選択し、ＬＰＦ７４を介して第２スピーカ８２の他端へ出力する第４スイッチ５４とを有している。
【００６２】
第１スイッチ５１の出力端と第３スイッチ５３の出力端との間に直列に、ＬＰＦ７１、第１スピーカ８１及びＬＰＦ７３が接続される。また、第２スイッチ５２の出力端と第４スイッチ５４の出力端との間に直列に、ＬＰＦ７２、第２スピーカ８２及びＬＰＦ７４が接続される。
【００６３】
この第２実施例では、時点ｔ１以前の音声再生状態においては、図６（ｄ）のように、基準電圧ＶＲＥＦに交流成分電圧が重畳されている第１音声信号ＤＳＬが第１スイッチ５１、ＬＰＦ７１を介して、第１スピーカ８１の一端に第１スピーカ信号ＳＰＬ＋として供給される。一方、図６（ｅ）のように、基準電圧ＶＲＥＦに交流成分電圧が重畳されている第１音声信号ＤＳＬが反転信号生成回路３１で反転されて第３スイッチ５３、ＬＰＦ７３を介して、第１スピーカ８１の他端に反転第１スピーカ信号ＳＰＬ−として供給される。
【００６４】
第１スピーカ信号ＳＰＬ＋と反転第１スピーカ信号ＳＰＬ−とは、逆相の関係にあるから、第１スピーカ８１には、大きな振幅の音声信号が供給される。
【００６５】
同様に、第２音声信号ＤＳＲで駆動される第２スピーカ８２も、第２スピーカ信号ＳＰＲ＋と反転第２スピーカ信号ＳＰＲ−とは、逆相の関係にあるから、大きな振幅の音声信号が供給される。第２スピーカ８２への音声信号の供給は、第１スピーカへの音声信号の供給と同様であるので、以下、説明を省略する。
【００６６】
図６の時点ｔ２に至るまでに第１音声信号ＤＳＬは、交流成分電圧が零に絞られて、基準電圧ＶＲＥＦ（ディジタル）になっている。基準電圧ＶＲＥＦのときに、第１音声信号ＤＳＬはデューティ比５０％のパルス列になっているから、その非反転信号ＤＳＬ＋と反転信号ＤＳＬ−のデューティ比はともに５０％である。したがって、それらを平滑した第１スピーカ信号ＳＰＬ＋と反転第１スピーカ信号ＳＰＬ−とは、ともに基準電圧ＶＲＥＦ（アナログ）である。
【００６７】
図６の時点ｔ２において、図２と同様に交流成分電圧が零になった後の時点ｔ２において、リセット信号ＲＥＳが「リセット」になり、切替信号ＣＯＳが「遷移信号選択」になり、スイッチ回路５０は遷移信号ＴＲＳを選択する。
【００６８】
この時点ｔ２において、遷移信号ＴＲＳは基準電圧ＶＲＥＦ（ディジタル）にあり、デューティ比５０％のパルス列になっている。この第２実施例では、遷移信号ＴＲＳが第１スイッチ５１と第３スイッチ５３の両方に印加されているから、第１スイッチ５１と第３スイッチ５３が切り替わった際に、スイッチ回路５０の切替はショックなしに行われる。
【００６９】
このスイッチ回路５０の切替の前後を通して、本実施例では、ＬＰＦ７１、７２を通過後の電圧は、同じ電圧レベルにある。つまり、スピーカ８１の両端間に印加される電圧は原理的に零である。
【００７０】
したがって、遷移信号ＴＲＳを、区間２１の時点ｔ２から時点ｔ３にかけてきわめて短い時間（原理的には零でよい）で、基準電圧ＶＲＥＦから零電圧ＧＮＤに、ポップノイズを発生させることなく変化させることができる。
【００７１】
図１の第１実施例では、遷移信号ＴＲＳを所要の時間をかけて滑らかに基準電圧ＶＲＥＦから零電圧ＧＮＤに変化させるから、区間２１はある程度の長い時間、例えば数百ミリ秒、を要する。しかし、この第２実施例では、区間２１の時間を原理的には零にでき、構成部品（ＬＰＦ７１、７２等）の特性のずれ等を考慮しても、区間２１を数ミリ秒にすることができる。このように区間２１の所要時間を、第１実施例に比して１００分の１以下への時間短縮が可能である。
【００７２】
また、時点ｔ４から時点ｔ５にかけて、遷移信号ＴＲＳを零電圧ＧＮＤから基準電圧ＶＲＥＦへ変化させるが、その区間２３も、同様に数ミリ秒のきわめて短い時間に短縮することができる。その後のスイッチ回路５０の切替もやはりショックなしに行われる。
【００７３】
なお、第２スピーカ８２を設けないこともできる。その場合には、第２音声信号ＤＳＲ、反転信号生成回路３２、第２、第４スイッチ５２、５４、ＬＰＦ７２、７４も設ける必要がない。
【００７４】
このように第２実施例によれば、音声信号ＤＳＬ、ＤＳＲと遷移信号ＴＲＳとの切り替えに際して、スピーカの両端に印加される電圧を等しくし、電位差が零の状態で切り替える。そして、電位差が零の状態で、遷移信号ＴＲＳを基準電圧ＶＲＥＦと零電圧ＧＮＤとの間で変化させる。したがって、ポップノイズの発生を防止するとともに、切り替えに要する時間を著しく短縮することができる。
【００７５】
図７は、本発明の第３実施例に係る音声信号出力回路、およびそれを用いた電子機器の構成を示す図である。図８は、図７における動作を説明するタイミングチャートである。
【００７６】
この第３実施例では、停止時及び起動時のシーケンスは、図１、図２の第１実施例や、図５，図６の第２実施例とほぼ同様である。この第３実施例では、音声信号出力時には負荷であるスピーカ８１、８２の一端に第１、第２音声信号を供給し、スピーカ８１、８２の他端に遷移信号ＴＲＳを供給するようにしていること、及び音声信号から遷移信号ＴＲＳへの切り替え時にスピーカ８１、８２の両端に遷移信号ＴＲＳが同相で供給されることが、第１実施例、第２実施例と、異なっている。
【００７７】
図７において、信号源１０、音量設定回路２０、ΔΣ変調器３０、遷移信号生成回路４０、制御回路６０は図１と同じである。
【００７８】
スイッチ回路５０Ｂは、第１音声信号ＤＳＬと遷移信号ＴＲＳのどちらかを切替信号ＣＯＳにしたがって選択し、第１スピーカ８１の一端へ出力する第１スイッチ５１と、第２音声信号ＤＳＲと遷移信号ＴＲＳのどちらかを切替信号ＣＯＳにしたがって選択し、第１スピーカ８２の一端へ出力する第２スイッチ５２とを有し、さらに、第１スピーカ８１の他端と第２スピーカ８２の他端との直列接続点に常に遷移信号ＴＲＳを供給する。
【００７９】
この第３実施例では、時点ｔ１以前の音声再生状態においては、図８（ｄ）のように、基準電圧ＶＲＥＦに交流成分電圧が重畳されている第１音声信号ＤＳＬが第１スイッチ５１、ＬＰＦ７１を介して、第１スピーカ８１の一端に第１スピーカ信号ＳＰＬ＋として供給される。一方、図８（ｅ）のように、基準電圧ＶＲＥＦにある遷移信号ＴＲＳが直接にＬＰＦ７３を介して、第１スピーカ８１の他端に直流の第１スピーカ信号ＳＰＬ−として供給される。
【００８０】
第１スピーカ信号ＳＰＬ＋と第１スピーカ信号ＳＰＬ−の基準電圧ＶＲＥＦは同じであるから、第１スピーカ８１には、交流成分電圧の音声信号が供給される。
【００８１】
同様に、第２音声信号ＤＳＲで駆動される第２スピーカ８２も、交流成分電圧の音声信号が供給される。第２スピーカ８２への音声信号の供給は、第１スピーカへの音声信号の供給と同様であるので、以下、説明を省略する。
【００８２】
図８の時点ｔ２に至るまでに第１音声信号ＤＳＬは、交流成分電圧が零に絞られて、基準電圧ＶＲＥＦ（ディジタル）になっている。基準電圧ＶＲＥＦのときに、第１音声信号ＤＳＬはデューティ比５０％のパルス列になっているから、したがって、それらを平滑した第１スピーカ信号ＳＰＬ＋と第１スピーカ信号ＳＰＬ−とは、ともに基準電圧ＶＲＥＦ（アナログ）である。
【００８３】
図８の時点ｔ２において、図２と同様に交流成分電圧が零になった後の時点ｔ２において、リセット信号ＲＥＳが「リセット」になり、切替信号ＣＯＳが「遷移信号選択」になり、スイッチ回路５０は遷移信号ＴＲＳを選択する。
【００８４】
この時点ｔ２において、ＤＳＬと遷移信号ＴＲＳはともに基準電圧ＶＲＥＦであるから、スイッチ回路５０の切替はショックなしに行われる。
【００８５】
このスイッチ回路５０の切替の前後を通して、本実施例では、ＬＰＦ７１、７３を通過後の電圧は、同じ電圧レベルにある。つまり、第１スピーカ８１の両端間に印加される電圧は原理的に零である。
【００８６】
したがって、遷移信号ＴＲＳを、区間２１の時点ｔ２から時点ｔ３にかけてきわめて短い時間（原理的には零でよい）で、基準電圧ＶＲＥＦから零電圧ＧＮＤに、ポップノイズを発生させることなく変化させることができる。この第３実施例でも、図５の第２実施例におけると同様に、このように区間２１の所要時間を、第１実施例に比して１００分の１以下への時間短縮が可能である。また、第３実施例は、第２実施例に比して、より簡単な回路で実現可能である。
【００８７】
なお、実施例１では、スピーカの両端の端子間に電圧ＶＲＥＦ分の直流電圧が印加されているために、スピーカの内部抵抗により直流電力が消費される。したがって、通常は直流（ＤＣ）成分をカットするためのＤＣカット用コンデンサをスピーカに直列に挿入するなどの対応をとることが望ましい。一方、実施例１および実施例２では、スピーカの両端の端子間に原理上ＤＣ成分は存在しないので、直流電力を消費しない。また、ＤＣカット用コンデンサも不要で、外付け部品の削減につながる。
【００８８】
また、時点ｔ４から時点ｔ５にかけて、遷移信号ＴＲＳを零電圧ＧＮＤからＲＥＦ変化させるが、その区間２３も、同様に数ミリ秒のきわめて短い時間に短縮することができる。その後のスイッチ回路５０の切り替えもやはりショックなしに行われる。
【００８９】
なお、第２スピーカ８２を設けないこともできる。その場合には、第２音声信号ＤＳＲ、第２スイッチ５２、ＬＰＦ７２も設ける必要がない。
【００９０】
このように第３実施例によれば、音声信号ＤＳＬ、ＤＳＲと遷移信号ＴＲＳとの切り替えに際して、スピーカの両端に印加される電圧を等しくし、電位差が零の状態で切り替えるとともに、電位差が零の状態で、遷移信号ＴＲＳを基準電圧ＶＲＥＦと零電圧ＧＮＤとの間で変化させる。したがって、ポップノイズの発生を防止するとともに、切り替えに要する時間を著しく短縮することができる。
【００９１】
なお、以上の各実施例では、１チャンネル出力（モノラル）および２チャンネル出力（ステレオ）を例にして説明しているが、本発明は、それらに限らず、５．１ｃｈサラウンド音声（スピーカを５つ用いるサラウンド・オーディオ）等、３チャンネル以上の多（Ｎ）チャンネル出力に対しても同様に適用できることは言うまでもない。このＮチャンネル出力の場合には、スピーカをそのチャンネル数Ｎに応じて設けることは勿論であるが、ΔΣ変調器からそのチャンネル数Ｎの音声信号ＤＳを出力するととともに、チャンネル数Ｎに対応した数のスイッチおよびＬＰＦを設けることになる。
【００９２】
以上の第１〜第３実施例では、音声信号出力回路を、各回路２０〜６０を用いて構成したが、それらと同様の処理をコンピュータを用いてソフトウエアで実現することができる。
【００９３】
図９及び図１０は、本発明の第４実施例に係り、音声信号出力回路をコンピュータを用いてソフトウエアで実現する場合の処理を、フローチャートで示すものである。図９は音声再生状態から電源断状態への処理を示しており、図１０は電源断状態から音声再生状態への処理を示している。これらのソフトウエア処理においても、図２、図６、図８に示したと同様のタイミングで、各信号処理が行われる。そして、図１、図５、図７に示したような構成のスピーカ回路（ＬＰＦ７１〜７４とスピーカ８１、８２）に音声信号を出力する。
【００９４】
図９において、音声再生状態（ステップＳ１０１）では、入力音声信号が、基準電圧ＶＲＥＦに交流成分電圧が重畳されているディジタル形式で入力され、音声出力として再生されている。
【００９５】
ステップＳ１０２で、ミュート信号ＭＵＴが「ミュート」に設定されると、ミュート処理が開始される。ステップＳ１０３のミュート処理で、入力音声信号のうちのその交流成分電圧の増幅率を所定量（あるいは所定率；以下同じ）減少させる。ステップＳ１０４で交流成分電圧が零（もしくはほぼ零；以下同じ）になったか否かを判断する。ステップＳ１０４での判断は、交流成分電圧自体を監視しても良いし、また増幅率を監視しても良い。交流成分電圧が零になるまで、ステップＳ１０３、ステップＳ１０４を繰り返す。
【００９６】
交流成分電圧が零になったと判断されると、ステップＳ１０５でシステムリセットをかけて、リセット信号ＲＥＳを発生するとともに、ステップＳ１０５で出力信号を、それまでの音声信号出力（ＤＳＬ、ＤＳＲ）から遷移信号出力（ＴＲＳ）に切り替える。この切り替え時点で、遷移信号ＴＲＳは基準電圧ＶＲＥＦにある。
【００９７】
遷移信号ＴＲＳに切り替えられた時点から、遷移信号ＴＲＳを基準電圧ＶＲＥＦから零電圧ＧＮＤに向けて滑らかに減少する第１遷移信号を生成する。
【００９８】
ステップＳ１０７で遷移信号ＴＲＳを所定量（あるいは所定率；以下同じ）だけ減少させ、ステップＳ１０８で遷移信号ＴＲＳが零電圧になったか否かを判断する。遷移信号ＴＲＳが零になるまでステップＳ１０７、ステップＳ１０８を繰り返す。この第１遷移信号は、図１、図２の第１実施例や、図５〜図８の第２，第３実施例と同様に、区間２１に応じた時間（ｔ２−ｔ３）で、滑らかに減少する。
【００９９】
遷移信号ＴＲＳが零になったと判断される（ステップＳ１０８）と、電源を遮断することが可能な状態になった（ステップＳ１０９）ので、ステップＳ１１０で音声出力回路の電源を遮断する。そして、電源断状態（ステップＳ１１１）を継続する。
【０１００】
図１０において、電源断状態（ステップＳ２０１）で、電源投入（ステップＳ２０２）が行われる。この電源投入された時点では、遷移信号ＴＲＳが選択されている。遷移信号ＴＲＳは、未だ、零電圧ＧＮＤである。したがって、ポップノイズを発生させることなく、電源を遮断できる電源断可能状態にある（ステップＳ２０３）。
【０１０１】
ステップＳ２０４で、システムリセットが解除されて、リセット信号ＲＥＳが「リセット解除」になった時点から、遷移信号ＴＲＳを零電圧ＧＮＤから基準電圧ＶＲＥＦに向けて滑らかに増加する第２遷移信号を生成する。
【０１０２】
ステップＳ２０５で遷移信号ＴＲＳを所定量だけ増加させ、ステップＳ２０６で遷移信号ＴＲＳが基準電圧ＶＲＥＦになったか否かを判断する。遷移信号ＴＲＳが基準電圧ＶＲＥＦになるまでステップＳ２０５、ステップＳ２０６を繰り返す。この第２遷移信号は、図１、図２の第１実施例や、図５〜図８の第２，第３実施例と同様に、区間２３に応じた時間（ｔ４−ｔ５）で、滑らかに増加する。
【０１０３】
遷移信号ＴＲＳが基準電圧ＶＲＥＦになったと判断される（ステップＳ２０６）と、ステップＳ２０７で出力信号を、それまでの遷移信号出力（ＴＲＳ）から音声信号出力（ＤＳＬ、ＤＳＲ）に切り替える。この切り替え時点で、音声信号出力（ＤＳＬ、ＤＳＲ）は、交流信号電圧は零であり、基準電圧ＶＲＥＦにある。
【０１０４】
ステップＳ２０８で、ミュート信号ＭＵＴが「ミュート解除」に設定されると、ミュート解除処理が開始される。ステップＳ２０９のミュート解除処理で、入力音声信号のうちのその交流成分電圧の増幅率を所定量だけ増加させる。ステップＳ２１０でミュート解除処理が終了した否かを、例えば増幅回路の増幅率により、判断する。ミュート解除処理が終了するまで、ステップＳ２０９、ステップＳ２１０を繰り返す。
【０１０５】
これらの処理を順次に行って、ポップノイズの発生を抑制しつつ音声再生状態（ステップＳ２１１）に移行する。
【０１０６】
この図９、図１０のように、本発明の電子機器における音声信号の出力処理を、コンピュータを用いてソフトウエアにより行うことができる。したがって、電子機器に他の制御用途に用いられるコンピュータを、本発明の音声信号の出力処理にも共用して、電子機器全体の構成を簡易化することができる。
【図面の簡単な説明】
【０１０７】
【図１】本発明の第１実施例に係る音声信号出力回路、およびそれを用いた電子機器の構成を示す図
【図２】図１における動作を説明するタイミングチャート
【図３】遷移信号生成回路の第１構成例を示す図
【図４】遷移信号生成回路の第２構成例を示す図
【図５】本発明の第２実施例に係る音声信号出力回路、およびそれを用いた電子機器の構成を示す図
【図６】図５における動作を説明するタイミングチャート
【図７】本発明の第３実施例に係る音声信号出力回路、およびそれを用いた電子機器の構成を示す図
【図８】図７における動作を説明するタイミングチャート
【図９】本発明の第４実施例に係り、音声信号出力回路のソフトウエア処理を示す第１のフローチャート
【図１０】本発明の第４実施例に係り、音声信号出力回路のソフトウエア処理を示す第２のフローチャート
【符号の説明】
【０１０８】
１０  信号源
２０  音量設定回路
３０  ΔΣ変調器
４０、４０Ａ  遷移信号生成回路
４１  遷移波形生成回路
４２  ΔΣ変調器
４３  遷移信号用ＲＯＭ
５０、５０Ａ、５０Ｂ  スイッチ回路
６０  制御回路
７１〜７４  ＬＰＦ
８１、８２  スピーカ
ＣＯＭＤ  指令信号
ＭＵＴ  ミュート信号
ＴＲＳ  遷移信号
ＲＥＳ  リセット信号
ＤＥＳ  判定信号
ＣＯＳ  切替信号
ＶＲＥＦ  基準電圧
【図１】
2006109275.tif 000003
【図２】
2006109275.tif 000004
【図３】
2006109275.tif 000005
【図４】
2006109275.tif 000006
【図５】
2006109275.tif 000007
【図６】
2006109275.tif 000008
【図７】
2006109275.tif 000009
【図８】
2006109275.tif 000010
【図９】
2006109275.tif 000011
【図１０】
2006109275.tif 000012